(57)【要約】【課題】  従来のエスカレーターは、運転方向、速度感が把握できずに発生する視覚弱者の転倒や逆乗り込みによる事故や手摺ベルトの表面が滑り易く掴み難い等が安全上の課題となっていた。また、手摺ベルト用案内ローラの汚れ除去が保全上の問題となっていた。【解決手段】  これらの課題を解決するため、手摺ベルト６の全長表面に、手摺ベルト６と色を異にすると共に、手摺ベルト６の表面平坦部の幅とほぼ同じ幅でそれの回動方向を表示する方向表示マーク６Ａを適宜の間隔をおいて印刷表示し、かつ、その表面層の摩擦係数及び粘着性が手摺ベルト６の表面層の摩擦係数及び粘着性よりも高いポリエステル系ウレタン樹脂材でなる印刷シート６ＡＡを貼り付けて設けた。また、手摺ベルト６と印刷シート６ＡＡを回動させた状態で案内ローラ１０の表面の汚れ成分を印刷シート６ＡＡに吸着及び転移させ、転移した汚れ成分を往路において人的に拭き取る工程を経て清掃するようにした手摺ベルト６の清掃方法とした。【選択図】図４
2014152038.tif 000002
【特許請求の範囲】
【請求項１】
乗客が乗る往路から機械内部の復路にかけて反転して回動し、乗客を輸送する踏段と、この踏段と同期して乗客が掴む往路から案内ローラ等で案内される復路にかけて反転して回動する手摺ベルトとを備えたエスカレーターにおいて、前記手摺ベルトの全長表面に、この手摺ベルトと色を異にすると共に、前記手摺ベルトの表面平坦部の幅とほぼ同じ幅でそれの回動方向を表示する方向表示マークを適宜の間隔をおいて印刷表示し、かつ、その表面層の摩擦係数及び粘着性が前記手摺ベルト表面層の摩擦係数及び粘着性よりも高いポリエステル系ウレタン樹脂材でなる印刷シートを貼り付けて設けたことを特徴とするエスカレーターの手摺ベルト。
【請求項２】
乗客が乗る往路から機械内部の復路にかけて反転して回動し、乗客を輸送する踏段と、この踏段と同期して乗客が掴む往路から案内ローラ等で案内される復路にかけて反転して回動する手摺ベルトとを備えたエスカレーターの手摺ベルトの清掃方法において、前記手摺ベルトの全長表面に、その表面層の摩擦係数及び粘着性が前記手摺ベルト表面層の摩擦係数及び粘着性よりも高いポリエステル系ウレタン樹脂材でなる印刷シートを貼り付けて設ける一方、前記手摺ベルトと印刷シートを回動させた状態で前記案内ローラ表面の汚れ成分をこの印刷シートに吸着及び転移させ、この印刷シートに転移した汚れ成分を前記往路において人的に拭き取る工程を経て清掃するようにしたことを特徴とするエスカレーターの手摺ベルトの清掃方法。
【発明の詳細な説明】
【技術分野】
【０００１】  本発明は、回動する踏段が水平路あるいは傾斜路を形成して乗客輸送を行うエスカレーターの手摺ベルトの構成及びその清掃方法に関する。
【背景技術】
【０００２】  ２００７年公表の国土交通省「バリアフリー整備ガイドライン」のエスカレーターの項に「印を付けることなどにより、ベルトの進行方向を表示する」規定が追加され、本発明の対象でもある「方向表示マーク付き手摺ベルト」が普及する一方、その効果が視覚弱者に対する利便は勿論、健常者の手摺ベルト利用率向上（安定的利用姿勢保持）の効果も高評価されている。この「印を付ける」具体的な方法としては、特許文献１に記載の構成が公知となっており、手摺ベルトの表面に、この手摺ベルトとは異色でその表面平坦部の幅とほぼ同じ幅の方向表示マークを、反転部半円周範囲に最低１個有する間隔で印刷した印刷シートを貼り付けたものである。また、手摺ベルト表面の汚れの元凶となる案内ローラ表面の汚れを除去、清掃する方法としては、特許文献２に記載の方法が公知となっており、手摺ベルトの表面に、一定時間、一定長さの清掃用粘着フィルムを貼り付けて案内ローラの汚れを取るという清掃作業に限定、特化した時間的、道具的な清掃方法である。
【先行技術文献】
【特許文献】
【０００３】
【特許文献１】特開２００６−３４７７６３号公報
【０００４】
【特許文献２】特開２０１１−１１８４３号公報
【発明の概要】
【発明が解決しようとする課題】
【０００５】  特許文献１は、手摺ベルト表面に「方向表示マーク」付き印刷シートを設けたことで「手摺ベルトの進行方向を表示する印」となり、エスカレーターの存在とその速度感を視覚によって認知（乗り込み時の運転速度に対する体重移動バランスの安定化等）させるとともに、逆乗り込み（降り口側から乗り込む等）阻止効果を達成している。実際、２０１２年３月に首都圏の駅構内エスカレーターで方向表示マーク付きの実利用状態を調査したところ、手摺ベルト利用率（手摺を掴む乗客の比率）は施工前が１０％以下であったのに対して施工後は２０％強と３倍近くに増加、また、視覚障害者や高齢者に接触して転倒の巻き添えにする危険性を孕む踏段の歩行利用（踏段の駆け下りなど）率が、施工前が４０％強であったのに対して５％と１／８程度まで低下し、エスカレーターの安全利用に大きく寄与していることが分かった。しかしながら、この方向表示マークの有無以前の問題として、合成ゴムまたはウレタン樹脂製のいずれかである手摺ベルト自体の表面が、あるいは貼り付けた印刷シートの表面がツルツルしていて滑り易く、手で掴み難いために手摺ベルトを掴んで安定姿勢を保つという手摺ベルト本来の安全機能が発揮できないという指摘があった。また、特許文献２は、清掃作業に限定、特化した時間的、道具的な方法であり、転倒防止等の安全効果や手摺ベルト及び印刷シートの表面がツルツルで掴み難いという問題への対処は念頭になかった。
【課題を解決するための手段】
【０００６】  本発明は、上記問題を解消するためになされたものであり、請求項１は、乗客が乗る往路から機械内部の復路にかけて反転して回動し、乗客を輸送する踏段と、この踏段と同期して乗客が掴む往路から案内ローラ等で案内される復路にかけて反転して回動する手摺ベルトとを備えたエスカレーターにおいて、前記手摺ベルトの全長表面に、この手摺ベルトと色を異にすると共に、前記手摺ベルトの表面平坦部の幅とほぼ同じ幅でそれの回動方向を表示する円形等の方向表示マークを適宜の間隔をおいて印刷表示し、かつ、その表面層の摩擦係数及び粘着性が前記手摺ベルト表面層の摩擦係数及び粘着性よりも高いポリエステル系ウレタン樹脂材でなる印刷シートを貼り付けて設けたのである。【０００７】  また、請求項２は、乗客が乗る往路から機械内部の復路にかけて反転して回動し、乗客を輸送する踏段と、この踏段と同期して乗客が掴む往路から案内ローラ等で案内される復路にかけて反転して回動する手摺ベルトとを備えたエスカレーターの手摺ベルトの清掃方法において、前記手摺ベルトの全長表面に、その表面層の摩擦係数及び粘着性が前記手摺ベルト表面層の摩擦係数及び粘着性よりも高いポリエステル系ウレタン樹脂材でなる印刷シートを貼り付けて設ける一方、前記手摺ベルトと印刷シートを回動させた状態で前記案内ローラ表面の汚れ成分をこの印刷シートに吸着及び転移させ、この印刷シートに転移した汚れ成分を前記往路において人的に拭き取る工程を経て清掃する方法としたのである。
【発明の効果】
【０００８】  上記請求項１の構成によれば、視力障害者でも運転方向と速度感がより認識し易くなるとともに、危険な逆方向からの乗り込みや静から動への体重移動の失敗による転倒事故を視覚的に低減できる。さらに本発明になる印刷シートの表面層の摩擦係数及び粘着性を手摺ベルト表面層の摩擦係数及び粘着性よりも高いポリエステル系ウレタン樹脂材としているためツルツルして滑り易く、手で掴み難くて安定姿勢を保てないという安全上の問題を解消できる。【０００９】  また、上記請求項２の構成によれば、手摺ベルトと印刷シートを回動させた状態で前記案内ローラ表面の汚れ成分をこの印刷シートに吸着及び転移させ、この印刷シートに転移した汚れ成分を前記往路において人的に拭き取る工程を経て清掃する方法としているため、手摺ベルト表面の汚れの元凶である案内ローラ表面の汚れを、清掃作業に限定、特化した時間的、道具的方法によらず、自動的に印刷シートに転移させることで、エスカレーターの機械を少しも解体せずに清掃できる保全上の効果がある。また、汚れ除去により美感が保たれれば、手摺ベルトの使用者が増え、安全サイドに改善される効果が期待できる。
【図面の簡単な説明】
【００１０】
【図１】本発明の実施形態を示す全体側面図である。
【図２】図１のＸ−Ｘ線に沿う断面図である。
【図３】図２のＹ−Ｙ線に沿う断面図である。
【図４】本発明の手摺ベルトと案内部の概念的断面斜視図である。
【発明を実施するための形態】
【００１１】  以下、本発明になるエスカレーターの手摺ベルトの構成及びその清掃方法について、図１〜図４を用いて説明する。
【００１２】  図において、輸送手段であるエスカレーター１は、上階床２Ａと下階床２Ｂに装架される主フレーム３と、無端状に連結されて往路から復路にかけて反転して回動する多数の踏段４と、踏段４の両側に直立して側壁を形成する欄干５と、欄干５の周縁の両反転部５Ａと５Ｂ間を回動する手摺ベルト６を備えている。また、手摺ベルト６は駆動歯車７の動力をチェーン８を介して駆動ローラ９等に伝達された動力によって摩擦駆動され、乗客が掴む往路は欄干５で、機械内部を通る復路は多数の案内ローラ１０等によって支持されている。
【００１３】  そして、本発明の主対象である手摺ベルト６は、現在は合成ゴムあるいはウレタン樹脂製のいずれかであり、一般には表面の平坦部６ａと両縁部６ｂが連なる略Ｃ字形断面に熱成型されて無端状に製造される。ここで、この手摺ベルト６の表面には、望ましい適宜の間隔として図１、図２に示すように欄干５の高さＨに相当する反転部５Ａ（反対側の反転部５Ｂも同様）の半円周範囲内に少なくても１個（１個あるいは複数個を意味し、図２には１個の配置を例示）存在する寸法をもって印刷された手摺ベルト６とは異色で円形等（形状は特定しない）の目立ち易い形状の方向表示マーク６Ａを表示した印刷シート６ＡＡを貼り付けにより設けてある。さらに詳細には、この方向表示マーク６Ａは、手摺ベルト６の表面を被い、その全長に貼り付けられる図３に示す印刷シート６ＡＡに対して、手摺ベルト６の全体幅Ｗ１の両縁部６ｂを除いた平坦部６ａ（幅Ｗ２）の幅いっぱいに印刷されている。そして、方向表示マーク６Ａにより公知例（特許文献１）と同様の安全効果を奏するものである。ここで、本発明の印刷シート６ＡＡについて詳述すれば、印刷シート６ＡＡは合計厚さｔが１ｍｍ以下の薄膜で、その基材層６ＢＢがポリエステル系ウレタン樹脂材で、その内面に接着剤層６ＣＣ、その外面にポリエステル系ウレタン樹脂材のラミネート層６Ｂｂの三層構成となっている。また、方向表示マーク６Ａは基材層６ＢＢに印刷により表示され、この基材層６ＢＢと共に清掃のために適当に塗布されるプライマー剤層Ｍを介して接着剤層６ＣＣによって手摺ベルト６に対して矢印Ｋのように丸めて貼り付けられる。さらに、乗客が手で掴んで直接的に触れるにラミネート層６Ｂｂの表面は、合成ゴムあるいはウレタン樹脂製のいずれかである手摺ベルト６表面の摩擦係数（例えば指数ａ）及び粘着性（例えば指数ｂ）に比べて摩擦係数（例えば指数Ａ）及び粘着性（例えば指数Ｂ）が高い、ａ＜Ａ及びｂ＜Ｂの関係となる性質を有している。この場合、摩擦係数及び粘着性が高いという表現の意味は、手摺ベルト６の表面に対して印刷シート６ＡＡの方が「しっとり感」があり、掴んだ手指が滑り難く、手摺ベルト６をより確実に掴めるということである。なお、発明者の実験によれば、ラミネート層６Ｂｂの摩擦係数及び粘着性の性質は、ポリエステル系ウレタン樹脂材が本来備える数値でよいと判断されるが、必要に応じてゴム系あるいはウレタン樹脂系材料を塗布するなどして摩擦係数及び粘着性の数値を高める方向に調整することも可能である。
【００１４】  加えて、本発明の印刷シート６ＡＡによる案内ローラ１０表面の清掃メカニズムについて説明すれば、印刷シート６ＡＡの表面が備える摩擦係数及び粘着性が高い性質を生かして、手摺ベルト６と印刷シート６ＡＡを回動させた状態において、案内ローラ１０の表面の汚れ成分（図示せず）をこの印刷シート６ＡＡに吸着及び転移させ、この印刷シート６ＡＡに転移した汚れ成分をそれの往路において人的に拭き取る工程を経て清掃する方法としている。このため、手摺ベルト６表面の汚れの元凶である案内ローラ１０表面の汚れを人手によらず印刷シート６ＡＡに転移させることで、エスカレーター１の機械部品、特に欄干５を少しも解体せずに清掃できる保全上の効果を奏し得る。すなわち、特許文献２のように一定時間、一定長さの清掃用粘着フィルムを貼り付けて案内ローラの汚れを取るという清掃に特化した時間、道具立ての方法に比べて、方向表示マーク６Ａと滑り難さという安全性を発揮しつつの効率的な清掃方法を提供できる。さらに、この汚れ除去効果により美感が保たれれば、手摺ベルトの使用者が増え、安全サイドに改善される効果を上積みできる。
【００１５】  なお、方向表示マーク６Ａの間隔設定は、乗り口階床にいる視覚弱者がエスカレーター１を遠望した時に該エスカレーター１の正面に少なくても１個出てくる方向マーク６Ａの存在、すなわちエスカレーター１の回動方向と回動速度を容易に視認できることを意図したもので、実機検証したところ具体的には１ｍ前後が適当である。また、視覚弱者が乗り口に達した時と乗り込んだ時は、欄干５の上面で目の高さに近い位置に方向表示マーク６Ａが存在することによって視点が定まり、より近い位置で移動感覚も認識できて乗り込み（体重移動）のタイミングが取り易く、速度への追随意識も高まって転倒事故の低減に寄与できる。さらに、方向表示マーク６Ａの間隔内には「手摺をつかめ」的な安全利用のための文言や広告等を印刷して設けることも可能であり、対象とする設備もエスカレーター１だけでなく、類似的機構の動く歩道にも適用できる。
【産業上の利用可能性】
【００１６】  以上説明したように上記実施形態によれば、手摺ベルトに対して方向表示マークによる視認性向上のほか、乗客の手摺ベルト把持の確実性及び案内ローラの清掃確実化に寄与できるエスカレーターの手摺ベルト及びその清掃方法を提供することができる。
【符号の説明】
【００１７】１  エスカレーター
４  踏段
５  欄干
５Ａ、５Ｂ  反転部
６  手摺ベルト
６Ａ  方向表示マーク
６ＡＡ  印刷シート
【図１】
2014152038.tif 000003
【図２】
2014152038.tif 000004
【図３】
2014152038.tif 000005
【図４】
2014152038.tif 000006